(57)【要約】【課題】本発明において照明装置を提供する。【解決手段】前記照明装置は、ランプ本体、支持棒、ベースおよび回転装置を含み、前記支持棒は前記ベース上に設けられ、前記ランプ本体は前記回転装置により前記支持棒上に回転可能に連結され、前記ランプ本体が前記支持棒に相対して回転することにより前記ランプ本体と前記支持棒との間の角度を調節することができるので、前記照明装置を折り畳み、前記照明装置が占める空間を低減することができる。前記回転装置により前記ランプ本体と前記支持棒との間の角度を減少させる場合、前記照明装置は折り畳み状態になり、前記照明装置が占める空間は低減するので、前記照明装置を容易に携帯ならび運輸することができる。【選択図】図１
2020503650.tif 000002
【特許請求の範囲】
【請求項１】
照明装置であって、前記照明装置は、ランプ本体、支持棒、ベースおよび回転装置を含み、前記支持棒は前記ベース上に設けられ、前記ランプ本体は前記回転装置により前記支持棒上に回転可能に連結され、前記ランプ本体が前記支持棒に相対して回転することにより前記ランプ本体と前記支持棒との間の角度を調節することを特徴とする照明装置。
【請求項２】
前記回転装置は基板と当該基板上に設けられる固定板とを含み、前記固定板は前記ランプ本体に固定連結され、前記基板は前記支持棒上に回転可能に連結されることを特徴とする請求項１に記載の照明装置。
【請求項３】
前記照明装置は回転部品を更に含み、前記基板は前記回転部品により前記支持棒に回転可能に連結されることを特徴とする請求項２に記載の照明装置。
【請求項４】
前記回転部品は固定部と前記固定部に回転可能に連結される回転部とを含み、前記固定部は前記支持棒に連結され、前記回転部は前記基板に連結されることを特徴とする請求項３に記載の照明装置。
【請求項５】
前記基板には固定結合部が形成され、前記固定結合部は前記回転部に固定連結されることを特徴とする請求項４に記載の照明装置。
【請求項６】
前記支持棒上には固定部品が設けられ、前記固定部品は前記回転部品の固定部に固定されることにより、前記回転部品を前記支持棒上に固定させることを特徴とする請求項５に記載の照明装置。
【請求項７】
前記支持棒は円筒状であり、前記支持棒は対向する上端と下端を含み、前記支持棒の下端は前記ベース上に取り付けられ、前記支持棒上には槽が形成され、前記槽は前記支持棒の上端を貫通し、前記基板は前記支持棒内に収納され、前記槽は前記基板が前記支持棒に相対して回転するように回転用空間を提供することを特徴とする請求項６に記載の照明装置。
【請求項８】
前記支持棒は第一結合管と第二結合管を含み、前記第一結合管は前記固定部品の固定端になる固定端を含み、前記固定端には前記第一結合管の軸方向に垂直である第一槽が形成され、前記第一槽は前記固定端の端面を貫通し、前記第二結合管の端部には前記第二結合管の軸方向に垂直である第二槽が形成され、前記第二槽は前記第二結合管の端部を貫通し、前記第一結合管と前記第二結合管を結合固定させると、前記第一槽と前記第二槽により前記槽が形成されることを特徴とする請求項７に記載の照明装置。
【請求項９】
前記第二結合管において前記第二槽の一側に位置する箇所には位置決め板が形成され、前記位置決め板は前記第二槽に向かって傾斜していることにより前記基板の回転と移動を制限することを特徴とする請求項８に記載の照明装置。
【請求項１０】
前記固定端は第一端部壁面と第二端部壁面を含み、前記第一端部壁面と前記第二端部壁面は前記第一槽の両側に位置し、前記第一端部壁面上には固定槽が形成され、前記基板には固定結合部が形成され、前記回転部品の固定部は前記固定槽に固定連結され、前記回転部品の回転部は前記固定結合部に固定連結されることを特徴とする請求項８に記載の照明装置。
【請求項１１】
前記回転部品は強化部を更に含み、前記強化部は前記回転部上に固定され、前記基板の第二固定槽上には貫通孔が形成され、前記固定端の第二端部壁面には固定孔が形成され、前記回転部品の強化部は前記固定槽と前記結合槽の貫通孔に挿入されかつ前記固定端の前記第二端部壁面の固定孔に回転可能に連結されることを特徴とする請求項８に記載の照明装置。
【請求項１２】
前記照明装置は円筒部を更に含み、前記円筒部上には第一切欠口が形成され、前記第一切欠口は前記支持棒上の前記槽に対応し、前記円筒部は前記第一結合管と前記第二結合管の周囲にスリーブされて、前記第一結合管と前記第二結合管との間の結合を強化させることを特徴とする請求項８に記載の照明装置。
【請求項１３】
前記第一結合管の固定端には前記第一槽と対向する第三槽が更に形成され、前記円筒部上には前記第三槽に対応する第二切欠口が更に形成されていることを特徴とする請求項１２に記載の照明装置。
【請求項１４】
前記支持棒は、固定支持部、タッチ制御部および固定部を含み、前記固定支持部は前記タッチ制御部の上部に形成され、前記固定支持部は、前記第一結合管、前記第二結合管および前記円筒部を含み、前記タッチ制御部上には柔軟性タッチパネルが取り付けられることにより前記ランプ本体の開閉を制御し、前記固定部の第一端は前記タッチ制御部の底部に位置し、第一端の反対側に位置する前記固定部の第二端は前記ベース上に固定されることを特徴とする請求項８〜１３のうちいずれか一項に記載の照明装置。
【請求項１５】
前記ランプ本体はランプと連結管を含み、前記ランプは前記連結管の第一端に取り付けられ、前記連結管は前記回転装置の固定板上に固定されることを特徴とする請求項２に記載の照明装置。
【請求項１６】
前記連結管の底部には固定槽が形成され、その固定槽は前記回転装置の固定板に結合され、前記固定槽内には第一結合部が形成され、前記固定板上には第二結合部が形成され、前記第一結合部と前記第二結合部が結合されることにより前記連結管は前記回転装置に取り付けられることを特徴とする請求項１５に記載の照明装置。
【請求項１７】
前記固定槽内には貫通槽が形成され、前記貫通槽は前記固定槽の底部を貫通するように形成され、前記固定板上には凹型槽が形成され、前記凹型槽は前記固定板の底部を貫通するように形成され、前記基板は中空部を含み、前記貫通槽は前記凹型槽および前記基板の中空部と連通の状態にされていることにより、前記ランプの電線は、前記貫通槽、前記凹型槽および前記中空部により前記支持棒内に送入されることができることを特徴とする請求項１５に記載の照明装置。
【請求項１８】
前記ランプ本体は夜用ランプを更に含み、前記夜用ランプは前記連結管の第一端の反対側に位置している連結管の第二端に取り付けられることを特徴とする請求項１５に記載の照明装置。
【請求項１９】
前記ランプは、フレーム、前記フレーム上に取り付けられる光源モジュール、前記光源モジュールを覆うランプシェードおよび前記フレームの上部に取付けられるスイッチモジュールを含み、前記フレームの末端は前記連結管上に固定されることにより前記ランプを前記連結管上に固定させることを特徴とする請求項１８に記載の照明装置。
【請求項２０】
前記フレーム内には光源収納部が形成され、前記光源モジュールは前記光源収納部内に収納固定され、前記ランプの末端には第一ロック部が形成され、その第一ロック部は前記連結管内に形成される第二ロック部に結合され、前記第一ロック部と前記第二ロック部が結合固定されることにより、前記フレームを前記連結管上に結合固定させることを特徴とする請求項１９に記載の照明装置。
【請求項２１】
前記フレームの前端には前記光源収納部と分割されるスイッチ収納部が形成され、前記スイッチ収納部内に前記スイッチモジュールを収納固定させることを特徴とする請求項２０に記載の照明装置。
【請求項２２】
前記ランプは結合管を更に含み、前記結合管は前記フレームの外周にスリーブされ、前記スイッチモジュールは、回路基板、ボタンおよび環状部を含み、前記回路基板は前記スイッチ収納部内に固定され、前記ボタンは前記回路基板の上方に位置するとともに前記回路基板に当接し、前記環状部は前記ボタンを囲むとともに前記結合管に固定され、それにより前記ボタンは前記フレームの上端に固定されることを特徴とする請求項２１に記載の照明装置。
【請求項２３】
前記ボタンは押し部と当該押し部の周辺に形成される弾性部とを含み、その構造により押し部には元の形状に回復する弾性力が提供されることを特徴とする請求項２２に記載の照明装置。
【発明の詳細な説明】
【技術分野】
【０００１】
本発明は、照明技術の分野に属し、特に、照明装置に関するものである。
【背景技術】
【０００２】
通常、電気スタンドをテーブル、寝台の傍らに設けることにより照明を獲得しかつ電気スタンドの開閉を容易にすることができる。しかしながら、従来の電気スタンドは、体積が大きく、構造が簡単であり、携帯性または運搬性がよくないという欠点を有している。
【発明の概要】
【０００３】
本発明の実施例において照明装置を提供することにより照明装置の体積を減少させ、携帯性または運搬性を向上させる。
【０００４】
本発明において照明装置を提供する。前記照明装置は、ランプ本体、支持棒、ベースおよび回転装置を含み、前記支持棒は前記ベース上に設けられ、前記ランプ本体は前記回転装置により前記支持棒上に回転可能に連結され、前記ランプ本体が前記支持棒に相対して回転することにより前記ランプ本体と前記支持棒との間の角度を調節する。
【０００５】
前記回転装置は基板と当該基板上に設けられる固定板とを含み、前記固定板は前記ランプ本体に固定連結され、前記基板は前記支持棒上に回転可能に連結される。
【０００６】
前記照明装置は回転部品を更に含み、前記基板は前記回転部品により前記支持棒に回転可能に連結される。
【０００７】
前記回転部品は固定部と前記固定部に回転可能に連結される回転部とを含み、前記固定部は前記支持棒に連結され、前記回転部は前記基板に連結される。
【０００８】
前記基板の底部には固定結合部が形成され、前記固定結合部は前記回転部に固定連結される。
【０００９】
前記支持棒上には固定部品が設けられ、前記固定部品は前記回転部品の固定部に固定されることにより前記回転部品を前記支持棒上に固定させる。
【００１０】
前記支持棒は円筒状であり、前記支持棒は対向する上端と下端を含み、前記支持棒の下端は前記ベース上に取り付けられ、前記支持棒上には槽が形成され、前記槽は前記支持棒の上端を貫通し、前記基板は前記支持棒内に収納され、前記槽は前記基板が前記支持棒に相対して回転するように回転用空間を提供する。
【００１１】
前記支持棒は第一結合管と第二結合管を含み、前記第一結合管は前記固定部品の固定端になる固定端を含み、前記固定端には前記第一結合管の軸方向に垂直である第一槽が形成され、前記第一槽は前記固定端の端面を貫通し、前記第二結合管の端部には前記第二結合管の軸方向に垂直である第二槽が形成され、前記第二槽は前記第二結合管の端部を貫通し、前記第一結合管と前記第二結合管を結合固定させると、前記第一槽と前記第二槽により前記槽が形成される。
【００１２】
前記第二結合管において前記第二槽の一側に位置する箇所には位置決め板が形成され、前記位置決め板は前記第二槽に向かって傾斜していることにより前記基板の回転と移動を制限する。
【００１３】
前記固定端は第一端部壁面と第二端部壁面を含み、前記第一端部壁面と前記第二端部壁面は前記第一槽の両側に位置し、前記第一端部壁面上には固定槽が形成され、前記基板には固定結合部が形成され、前記回転部品の固定部は前記固定槽に固定連結され、前記回転部品の回転部は前記固定結合部に固定連結される。
【００１４】
前記回転部品は強化部を更に含み、前記強化部は前記回転部上に固定され、前記基板の第二固定槽上には貫通孔が形成され、前記固定端の第二端部壁面には固定孔が形成され、前記回転部品の強化部は前記固定槽と前記結合槽の貫通孔に挿入されかつ前記固定端の前記第二端部壁面の固定孔に回転可能に連結される。
【００１５】
前記照明装置は円筒部を更に含み、前記円筒部上には第一切欠口が形成され、前記第一切欠口は前記支持棒上の前記槽に対応し、前記円筒部は前記第一結合管と前記第二結合管の周囲にスリーブされて、前記第一結合管と前記第二結合管との間の結合を強化させる。
【００１６】
前記第一結合管の固定端には前記第一槽と対向する第三槽が更に形成され、前記円筒部上には前記第三槽に対応する第二切欠口が更に形成されている。
【００１７】
前記支持棒は、固定支持部、タッチ制御部および固定部を含み、前記固定支持部は前記タッチ制御部の上部に形成され、前記固定支持部は、前記第一結合管、前記第二結合管および前記円筒部を含み、前記タッチ制御部上には柔軟性タッチパネルが取り付けられることにより前記ランプ本体の開閉を制御し、前記固定部の第一端は前記タッチ制御部の底部に位置し、第一端の反対側に位置する前記固定部の第二端は前記ベース上に固定される。
【００１８】
前記ランプ本体はランプと連結管を含み、前記ランプは前記連結管の第一端に取り付けられ、前記連結管は前記回転装置の固定板上に固定される。
【００１９】
前記連結管の底部には固定槽が形成され、その固定槽は前記回転装置の固定板に結合され、前記固定槽内には第一結合部が形成され、前記固定板内には第二結合部が形成され、前記第一結合部と前記第二結合部が結合されることにより前記連結管は前記回転装置に取り付けられる。
【００２０】
前記固定槽内には貫通槽が形成され、前記貫通槽は前記固定槽の底部を貫通するように形成され、前記固定板上には凹型槽が形成され、前記凹型槽は前記固定板の底部を貫通するように形成され、前記基板は中空部を含み、前記貫通槽は前記凹型槽および前記基板の中空部と連通の状態にされていることにより、前記ランプの電線は、前記貫通槽、前記凹型槽および前記中空部により前記支持棒内に送入されることができる。
【００２１】
前記ランプ本体は夜用ランプを更に含み、前記夜用ランプは前記連結管の第一端の反対側に位置している連結管の第二端に取り付けられる。
【００２２】
前記ランプは、フレーム、前記フレーム上に取り付けられる光源モジュール、前記光源モジュールを覆うランプシェードおよび前記フレームの上部に取付けられるスイッチモジュールを含み、前記フレームの末端は前記連結管上に固定されることにより前記ランプを前記連結管上に固定させる。
【００２３】
前記フレーム内には光源収納部が形成され、前記光源モジュールは前記光源収納部内に収納固定され、前記ランプの末端には第一ロック部が形成され、その第一ロック部は前記連結管内に形成される第二ロック部に結合され、前記第一ロック部と前記第二ロック部が結合固定されることにより、前記フレームを前記連結管上に結合固定させる。
【００２４】
前記フレームの前端には前記光源収納部と分割されるスイッチ収納部が形成され、前記スイッチ収納部内に前記スイッチモジュールを収納固定させる。
【００２５】
前記ランプは結合管を更に含み、前記結合管は前記フレームの外周にスリーブされ、前記スイッチモジュールは、回路基板、ボタンおよび環状部を含み、前記回路基板は前記スイッチ収納部内に固定され、前記ボタンは前記回路基板の上方に位置するとともに前記回路基板に当接し、前記環状部は前記ボタンを囲むとともに前記結合管に固定され、それにより前記ボタンは前記フレームの上端に固定される。
【００２６】
前記ボタンは押し部と当該押し部の周辺に形成される弾性部とを含み、その構造により押し部には元の形状に回復する弾性力が提供される。
【００２７】
本発明の照明装置は、ランプ本体、支持棒、ベースおよび回転装置を含み、前記支持棒は前記ベース上に設けられ、前記ランプ本体は前記回転装置により前記支持棒上に回転可能に連結され、前記ランプ本体が前記支持棒に相対して回転することにより前記ランプ本体と前記支持棒との間の角度を調節することができるので、前記照明装置を折り畳み、前記照明装置が占める空間を低減することができる。前記回転装置により前記ランプ本体と前記支持棒との間の角度を減少させる場合、前記照明装置は折り畳み状態になり、前記照明装置が占める空間は低減するので、前記照明装置を容易に携帯ならび運輸することができる。
【図面の簡単な説明】
【００２８】
本発明の実施例に係る技術的事項をより詳細に説明するため、以下、実施例に係る図面を簡単に説明する。注意されたことは、下において説明する図面は本発明の例示にしか過ぎないものである。この技術分野の技術者は創造的な研究をしなくても下記図面により他の図面を想到することができ、そのような図面があっても本発明に含まれることは勿論である。
【図１】本発明の実施例に係る照明装置を示す斜視図である。
【図２】図１の照明装置が折り畳まれる状態を示す断面図である。
【図３】図１の照明装置の回転装置を示す図である。
【図４】図１の照明装置の連結管を示す図である。
【図５】図１の照明装置の回転部品を示す図である。
【図６】図１の照明装置の回転装置を他の方向に観察したことを示す図である。
【図７】図１の照明装置の支持棒の一部分を示す図である。
【図８】図７の支持棒の第一結合管を第一方向に観察したことを示す図である。
【図９】図７の支持棒の第一結合管を第二方向に観察したことを示す図である。
【図１０】図７の支持棒の第一結合管を第三方向に観察したことを示す図である。
【図１１】図７の支持棒の第二結合管を第一方向に観察したことを示す図である。
【図１２】図７の支持棒の第二結合管を第二方向に観察したことを示す図である。
【図１３】図１の照明装置の結合筒部を示す図である。
【図１４】図１のランプを示す分解図である。
【図１５】図１４のランプのフレームを第一方向に観察したことを示す図である。
【図１６】図１４のランプのフレームを第二方向に観察したことを示す図である。
【図１７】図１の照明モジュールのスイッチモジュールを示す分解図である。
【発明を実施するための形態】
【００２９】
以下、本発明の実施例の図面により本発明の実施例の技術的事項をより詳細に充分に説明する。
【００３０】
図１と図２を一緒に説明すると、本発明の実施例において照明装置１００を提供する。前記照明装置１００は、ランプ本体１０、支持棒２０、ベース３０および回転装置４０を含む。前記支持棒２０は前記ベース３０上に設けられ、前記ランプ本体１０は前記回転装置４０により前記支持棒２０上に回転可能に連結され、前記ランプ本体１０が前記支持棒２０に相対して回転することにより前記ランプ本体１０と前記支持棒２０との間の角度を調節することができる。
【００３１】
本実施例において、前記照明装置１００は電気スタンドであることができる。前記ランプ本体１０は前記回転装置４０により前記支持棒２０に相対して回転することができるので、前記ランプ本体１０と前記支持棒２０との間の角度を調節し、前記照明装置１００を折り畳み状態にし、かつ前記照明装置１００が占める空間を減少させることができる。前記回転装置４０により前記ランプ本体１０と前記支持棒２０との間の角度を減少させるとき、前記照明装置１００は折り畳み状態になり、前記照明装置が占める空間を減少させることができるので、照明装置を容易に携帯するか或いは輸送することができる。前記回転装置４０により前記ランプ本体１０と前記支持棒２０との間の角度を増加させるとき、前記照明装置４０は開放状態になり、前記照明装置が占める空間は増加し、かつ照明の範囲を増加させることができる。
【００３２】
図３〜図４を一緒に参照すると、前記回転装置４０は基板４１と当該基板４１上に設けられる固定板４２とを含み、前記固定板４２は前記ランプ本体１０に固定連結され、前記基板４１は前記支持棒２０上に回転可能に連結される。
【００３３】
前記ランプ本体１０はランプ１１と連結管１２を含む。前記ランプ１１は前記連結管１２の第一端に取り付けられ、前記連結管１２は前記回転装置４０の固定板４２上に固定される。
【００３４】
具体的に、前記固定板４２は前記連結管１２の底部に取り付けられる。前記連結管１２の底部には固定槽１２２が形成され、その固定槽１２２は前記回転装置４０の固定板４２に結合される。前記固定槽１２２内には第一結合部１２４が形成され、前記固定板４２内には第二結合部４２２が形成され、前記第一結合部１２４と前記第二結合部４２２が結合されることにより前記連結管１２は前記回転装置４０に取り付けられる。
【００３５】
本実施例において、前記第一結合部１２４と前記第二結合部４２２はいずれも固定塊であり、その固定塊上には固定孔が形成されている。ボルトで前記第一結合部１２４と前記第二結合部４２２を結合させることにより前記連結管１２を前記回転装置４０に取り付けることができる。他の実施例において、前記固定板４２は他の結合方向により前記連結管１２の底部に取り付けられることができる。
【００３６】
前記固定槽１２２内には貫通槽１２６が形成され、前記貫通槽１２６は前記固定槽１２２の底部を貫通するように形成され、前記固定板４２上には凹型槽４２４が形成され、前記凹型槽４２４は前記固定板４２の底部を貫通するように形成されている。前記基板４１は中空部を含み、前記貫通槽１２６は前記凹型槽４２４および前記基板４１の中空部と連通の状態にされていることにより、前記ランプ１１の電線は、前記貫通槽１２６、前記凹型槽４２４および前記中空部を通過し前記支持棒２０内に送入されることができる。
【００３７】
注意すべきことは、本実施例において、前記ベース３０内には給電用バッテリーが取り付けられ、その給電用バッテリーは前記支持棒２０内の電線に電気接続されることにより前記ランプ１１に作動用電圧を印加することができる。他の実施例において、前記ベース３０内に給電用電線を取り付け、前記給電用電線を前記支持棒２０内の電線に電気接続させるとともに外部の電源に電気接続させることができる。
【００３８】
さらに、前記連結管１２の第一端寄りの前記固定槽１２２の内壁には結合孔１２７が更に形成され、その結合孔１２７は前記ランプ１１と結合連結される。前記連結管１２はその第一端寄りに貫通孔１２８が設けられている。
【００３９】
前記連結管１２の第一端は階段状に形成され、前記ランプ１１の底部の一端が前記連結管１２の第一端の階段状部分１２９にスリーブされることにより、前記ランプ１１の底部の一端と前記連結管１２は平坦に連結されることができる。
【００４０】
さらに、前記ランプ本体１０は夜用ランプ１３を更に含み、前記夜用ランプ１３は前記連結管１２の第一端の反対側に位置している連結管１２の第二端に取り付けられる（図１を参照）。前記夜用ランプ１３の電線は、前記貫通槽１２６、前記凹型槽４２４および前記中空部により前記支持棒２０内に送入され、かつ前記支持棒２０により前記ベース３０内のバッテリーに電気接続される。
【００４１】
図５を一緒に参照すると、前記照明装置１００は回転部品５０を更に含む。前記基板４１は前記回転部品５０により前記支持棒２０に回転可能に連結される。
【００４２】
具体的に、前記回転部品５０は固定部５１と前記固定部５１に回転可能に連結される回転部５２とを含み、前記固定部５１は前記支持棒２０に連結され、前記回転部５２は前記基板４１に連結される。
【００４３】
さらに、前記回転部品５０は強化部５３を更に含み、前記強化部５３は前記回転部５２上に固定されている。
【００４４】
図３ないし図６を一緒に参照すると、前記基板４１の底部には固定結合部４１２が形成されている。前記固定結合部４１２は前記回転部５２に固定連結される。
【００４５】
本実施例において、前記固定結合部４１２は凸部である。前記基板４１の底部には環状槽４１４が形成され、前記環状槽４１４と前記基板４１の中空部は連通状態にされている。前記凸部４１２は前記環状槽４１４内に形成され、前記固定結合部４１２（すなわち凸部）の背面には結合槽４１６が形成されている。前記結合槽４１６は前記回転部５２に結合固定される。前記結合槽４１６の底部の壁面には貫通孔４１８が形成され、その貫通孔４１８の位置は前記強化部５３と対応する。
【００４６】
図７を一緒に参照すると、前記支持棒２０上には固定部品が設けられ、前記固定部品は前記回転部品５０の固定部５０に固定されることにより前記回転部品５０を前記支持棒２０上に固定させる。
【００４７】
具体的に、前記支持棒２０は円筒状であり、前記支持棒２０は対向する上端と下端を含み、前記支持棒２０の下端は前記ベース３０上に取り付けられ、前記支持棒２０上には槽２０１が形成され、前記槽２０１は前記支持棒２０の上端を貫通し、前記基板４１は前記支持棒２０内に収納され、前記槽２０１は前記基板４１が前記支持棒２０に相対して回転するように回転用空間を提供する。
【００４８】
注意すべきことは、前記槽２０１は前記基板４１が前記支持棒２０に相対して回転するように回転用空間を提供し、前記基板４１は前記支持棒２０に相対して回転するとき、前記基板４１が前記槽２０１内に送入されることにより、前記ランプ本体１０と前記支持棒２０との間の角度は小さくなる。
【００４９】
具体的に、前記支持棒２０は第一結合管２１と第二結合管２２を含み、前記第一結合管２１は前記固定部品の固定端になる固定端２１１を含み、前記固定端２１１には前記第一結合管２１の軸方向に垂直である第一槽２１２が形成され、前記第一槽２１２は前記固定端２１１の端面を貫通し、前記第二結合管２２の端部には前記第二結合管２２の軸方向に垂直である第二槽２２１が形成され、前記第二槽２２１は前記第二結合管２２の端部を貫通する。前記第一結合管２１と前記第二結合管２２を結合固定させると、前記第一槽２１２と前記第二槽２２１により前記槽２０１が形成される。
【００５０】
図８を参照すると、前記固定端２１１は第一端部壁面２１１１と第二端部壁面２１１２を含む。前記第一端部壁面２１１１と前記第二端部壁面２１１２は前記第一槽２１２の両側に位置し、前記第一端部壁面２１１１上には固定槽２１１３が形成され、前記固定槽２１１３と前記回転部品５０の固定部５１は固定連結される。
【００５１】
本実施例において、前記回転部品５０の固定部５１は前記固定槽２１１３内に収納かつ固定される。前記固定槽２１１３の面積は前記基板４１上の結合槽４１６の面積より大きい。前記回転部品５０の固定部５１の形状は前記固定槽２１１３の形状に適合する。前記回転部品５０の回転部５２の形状は前記固定結合部４１６の形状に適合する。
【００５２】
図９を参照すると、前記固定端２１１の第二端部壁面２１１２には固定孔２１１４が形成され、その固定孔２１１４は前記回転部品５０の強化部５３に対応する。前記強化部５３は前記固定槽２１１３と前記結合槽４１６の貫通孔４１８に挿入されかつ前記第二端部壁面２１１２の固定孔２１１４に回転可能に連結される。
【００５３】
さらに、前記第一結合管２１上にも貫通孔２１１６が形成されている。
【００５４】
図１０を参照すると、前記第一結合管２１の固定端２１１には前記第一槽２１２と対向する第三槽２１３が更に形成されている。
【００５５】
図１１を参照すると、前記第二結合管２２において前記第二槽２２１の一側に位置する箇所には位置決め板２２２が形成され、前記位置決め板２２２は前記第二槽２２１に向かって傾斜していることにより前記基板４１の回転と移動を制限する。
【００５６】
図１２を参照すると、前記第二結合管２２上にはネジ孔２２４が形成され、そのネジ孔２２４は前記第一結合管２１上の貫通孔２１１６に対応する。ボルトは前記貫通孔２１１６によって前記ネジ孔２２４に結合されることにより前記第一結合管２１と前記第二結合管２２を結合固定させることができる。
【００５７】
図１３を参照すると、前記照明装置１００は円筒部６０を更に含み、前記円筒部６０上には第一切欠口６１が形成され、前記第一切欠口６１は前記支持棒２０上の前記槽２１１に対応する。前記円筒部６０は前記第一結合管２１と前記第二結合管２２の周囲にスリーブされて、前記第一結合管２１と前記第二結合管２２との間の結合を強化させることができる。
【００５８】
さらに、前記円筒部６０上には前記第三槽２１３に対応する第二切欠口６２が更に形成されている。
【００５９】
図１を再び参照すると、前記支持棒２０は、固定支持部２０２、タッチ制御部２０３および固定部２０４を含み、前記固定支持部２０２は前記タッチ制御部２０３の上部に形成され、前記固定支持部２０２は、前記第一結合管２１、前記第二結合管２２および前記円筒部５０を含む。前記タッチ制御部２０３上には柔軟性タッチパネル（図示せず）が取り付けられることにより前記ランプ本体１０の開閉を制御することができる。前記固定部２０４の第一端は前記タッチ制御部２０３の底部に位置し、第一端の反対側に位置する前記固定部２０４の第二端は前記ベース３０上に固定される。
【００６０】
図１４を参照すると、前記ランプ１１は、フレーム１１１、前記フレーム１１１上に取り付けられる光源モジュール１１２、前記光源モジュール１１２を覆うランプシェード（Lampshade）１１３および前記フレーム１１１の上部に取付けられるスイッチモジュール１１４を含む。前記フレーム１１１の末端は前記連結管１２上に固定されることにより前記ランプ１１を前記連結管１２上に固定させる。
【００６１】
さらに、前記ランプ１１は結合管１１５を更に含み、前記結合管１１５は前記フレーム１１１の外周にスリーブされる。本実施例において前記結合管１１５は金属材料によって一体に成型される。
【００６２】
図１５を参照すると、前記フレーム１１１内には光源収納部１１１１が形成され、前記光源モジュール１１２は前記光源収納部１１１１内に収納固定される。前記ランプ１１の末端には第一ロック部１１１２が形成され、その第一ロック部１１１２は前記連結管１２内に形成される第二ロック部（前記第二ロック部は前記連結管１２内の結合孔１２７である）に結合される。前記第一ロック部１１１２と前記第二ロック部が結合固定されることにより、前記フレーム１１１を前記連結管１２上に結合固定させることができる。
【００６３】
本実施例において、前記第一ロック部１１１２はホックである。前記光源モジュール１１２は、前記光源収納部１１１１内に収納され、かつロック固定手段により前記光源収納部１１１１内に固定される。具体的に、前記光源収納部１１１１内には固定柱１１１３が形成され、その固定柱１１１３により前記光源モジュール１１２が固定される。前記フレーム１１１の末端に接近する箇所には配線槽１１１４が形成され、前記光源モジュール１１１２の導線は前記配線槽１１１４内に収納される。前記フレーム１１１の末端に接近する箇所にはネジ柱１１１５が形成され、そのネジ柱１１１５は前記連結管１２の貫通孔１２８に対応する。ボルトが前記貫通孔１２８により前記ネジ柱１１１５に結合されることにより、前記フレームを前記連結管１２上に固定させることができる。
【００６４】
図１６を参照すると、前記フレーム１１の前端には前記光源収納部１１１１と分割されるスイッチ収納部１１１６が形成され、前記スイッチ収納部１１１６内に前記スイッチモジュール１１４を収納固定させる。
【００６５】
具体的に、前記スイッチ収納部１１１６内には固定柱１１１７および位置決め柱１１１８が形成されている。前記固定柱１１１７により前記スイッチモジュール１１４を固定させる。前記位置決め柱１１１８により前記スイッチモジュール１１４の位置を決める。
【００６６】
図１７を参照すると、前記スイッチモジュール１１４は、回路基板１１４１、ボタン１１４２および環状部１１４３を含み、前記回路基板１１４１は前記スイッチ収納部１１１６内に固定され、前記ボタン１１４２は前記回路基板１１４１の上方に位置するとともに前記回路基板１１４１に当接し、前記環状部１１４３は前記ボタン１１４２を囲むとともに前記結合管１１５に固定され、それにより前記ボタン１１４２は前記フレーム１１１の上端に固定される。
【００６７】
さらに、前記ボタン１１４２は押し部１１４２１と当該押し部１１４２１の周辺に形成される弾性部１１４２２とを含み、その構造により押し部１１４２１には元の形状に回復する弾性力が提供される。前記弾性力により押し部１１４２１を押すときその押し部１１４２１は元の形状に回復することができる。
【００６８】
注意すべきことは、前記回路基板１１４１上には前記スイッチ収納部１１１６内の固定柱１１１７に対応する固定孔１１４１１と前記位置決め柱１１１８に対応する位置決め孔１１４１２が形成されている。前記固定柱１１１７は前記固定孔１１４１１に挿入され、前記位置決め柱１１１８は前記位置決め孔１１４１２に挿入されることにより、前記回路基板１１４１は前記スイッチ収納部１１１６内の所定の位置に固定される。
【００６９】
以上、本発明の好適な実施例を詳述してきたが、それらは本発明に例示にすぎないものである。この技術分野の技術者は本発明の要旨を逸脱しない範囲内において設計の変更、改良等をすることができ、このような設計の変更、改良等があっても本発明に含まれることは勿論である。
【図１】
2020503650.tif 000003
【図２】
2020503650.tif 000004
【図３】
2020503650.tif 000005
【図４】
2020503650.tif 000006
【図５】
2020503650.tif 000007
【図６】
2020503650.tif 000008
【図７】
2020503650.tif 000009
【図８】
2020503650.tif 000010
【図９】
2020503650.tif 000011
【図１０】
2020503650.tif 000012
【図１１】
2020503650.tif 000013
【図１２】
2020503650.tif 000014
【図１３】
2020503650.tif 000015
【図１４】
2020503650.tif 000016
【図１５】
2020503650.tif 000017
【図１６】
2020503650.tif 000018
【図１７】
2020503650.tif 000019
【手続補正書】
【提出日】令和1年6月26日(2019.6.26)
【手続補正１】
【補正対象書類名】明細書
【補正対象項目名】００２８
【補正方法】変更
【補正の内容】
【００２８】
本発明の実施例に係る技術的事項をより詳細に説明するため、以下、実施例に係る図面を簡単に説明する。注意されたことは、下において説明する図面は本発明の例示にしか過ぎないものである。この技術分野の技術者は創造的な研究をしなくても下記図面により他の図面を想到することができ、そのような図面があっても本発明に含まれることは勿論である。
【図１】本発明の実施例に係る照明装置を示す斜視図である。
【図２】図１の照明装置が折り畳まれる状態を示す断面図である。
【図３】図１の照明装置の回転装置を示す図である。
【図４】図１の照明装置の連結管を示す図である。
【図５】図１の照明装置の回転部品を示す図である。
【図６】図１の照明装置の回転装置を他の方向に観察したことを示す図である。
【図７】図１の照明装置の支持棒の一部分を示す図である。
【図８】図７の支持棒の第一結合管を第一方向に観察したことを示す図である。
【図９】図７の支持棒の第一結合管を第二方向に観察したことを示す図である。
【図１０】図７の支持棒の第一結合管を第三方向に観察したことを示す図である。
【図１１】図７の支持棒の第二結合管を第一方向に観察したことを示す図である。
【図１２】図７の支持棒の第二結合管を第二方向に観察したことを示す図である。
【図１３】図１の照明装置の結合筒部を示す図である。
【図１４】図１のランプを示す分解図である。
【図１５】図１４のランプのフレームを第一方向に観察したことを示す図である。
【図１６】図１４のランプのフレームを第二方向に観察したことを示す図である。
【図１７】図１の照明装置のスイッチモジュールを示す分解図である。
【手続補正２】
【補正対象書類名】明細書
【補正対象項目名】００３１
【補正方法】変更
【補正の内容】
【００３１】
本実施例において、前記照明装置１００は電気スタンドであることができる。前記ランプ本体１０は前記回転装置４０により前記支持棒２０に相対して回転することができるので、前記ランプ本体１０と前記支持棒２０との間の角度を調節し、前記照明装置１００を折り畳み状態にし、かつ前記照明装置１００が占める空間を減少させることができる。前記回転装置４０により前記ランプ本体１０と前記支持棒２０との間の角度を減少させるとき、前記照明装置１００は折り畳み状態になり、前記照明装置が占める空間を減少させることができるので、照明装置を容易に携帯するか或いは輸送することができる。前記回転装置４０により前記ランプ本体１０と前記支持棒２０との間の角度を増加させるとき、前記照明装置１００は開放状態になり、前記照明装置が占める空間は増加し、かつ照明の範囲を増加させることができる。
【手続補正３】
【補正対象書類名】明細書
【補正対象項目名】００５１
【補正方法】変更
【補正の内容】
【００５１】
本実施例において、前記回転部品５０の固定部５１は前記固定槽２１１３内に収納かつ固定される。前記固定槽２１１３の面積は前記基板４１上の結合槽４１６の面積より大きい。前記回転部品５０の固定部５１の形状は前記固定槽２１１３の形状に適合する。前記回転部品５０の回転部５２の形状は前記固定結合部４１２の形状に適合する。
【手続補正４】
【補正対象書類名】明細書
【補正対象項目名】００５７
【補正方法】変更
【補正の内容】
【００５７】
図１３を参照すると、前記照明装置１００は円筒部６０を更に含み、前記円筒部６０上には第一切欠口６１が形成され、前記第一切欠口６１は前記支持棒２０上の前記槽２０１に対応する。前記円筒部６０は前記第一結合管２１と前記第二結合管２２の周囲にスリーブされて、前記第一結合管２１と前記第二結合管２２との間の結合を強化させることができる。
【手続補正５】
【補正対象書類名】明細書
【補正対象項目名】００５９
【補正方法】変更
【補正の内容】
【００５９】
図１を再び参照すると、前記支持棒２０は、固定支持部２０２、タッチ制御部２０３および固定部２０４を含み、前記固定支持部２０２は前記タッチ制御部２０３の上部に形成され、前記固定支持部２０２は、前記第一結合管２１、前記第二結合管２２および前記円筒部６０を含む。前記タッチ制御部２０３上には柔軟性タッチパネル（図示せず）が取り付けられることにより前記ランプ本体１０の開閉を制御することができる。前記固定部２０４の第一端は前記タッチ制御部２０３の底部に位置し、第一端の反対側に位置する前記固定部２０４の第二端は前記ベース３０上に固定される。
【手続補正６】
【補正対象書類名】明細書
【補正対象項目名】００６３
【補正方法】変更
【補正の内容】
【００６３】
本実施例において、前記第一ロック部１１１２はホックである。前記光源モジュール１１２は、前記光源収納部１１１１内に収納され、かつロック固定手段により前記光源収納部１１１１内に固定される。具体的に、前記光源収納部１１１１内には固定柱１１１３が形成され、その固定柱１１１３により前記光源モジュール１１２が固定される。前記フレーム１１１の末端に接近する箇所には配線槽１１１４が形成され、前記光源モジュール１１２の導線は前記配線槽１１１４内に収納される。前記フレーム１１１の末端に接近する箇所にはネジ柱１１１５が形成され、そのネジ柱１１１５は前記連結管１２の貫通孔１２８に対応する。ボルトが前記貫通孔１２８により前記ネジ柱１１１５に結合されることにより、前記フレームを前記連結管１２上に固定させることができる。
【国際調査報告】
2020503650.tif 000020
2020503650.tif 000021
2020503650.tif 000022
2020503650.tif 000023
2020503650.tif 000024